(57)【要約】      （修正有）【課題】ゴルフクラブに取付けても使用感に影響を与え難く、しかもゴルフスイングのいずれの段階においてもフェースの向きを矯正できるゴルフスイング矯正用具を提供する。【解決手段】ゴルフクラブＣのシャフトＳに取付けるゴルフスイング矯正用具２０であって、平面状の枠体２１と、一端が枠体２１の外側に取付けられるとともに、他端がゴルフクラブＣのシャフトＳに脱着自在でゴルフクラブＣのシャフトＳの延びる方向に対して枠体２１の平面を略平行に取付け可能な連結部２２を備え、枠体２１内に紐体２３を格子状に張った。【選択図】図３
0003174076.tif 000002
【実用新案登録請求の範囲】
【請求項１】
ゴルフクラブのシャフトに取付けるゴルフスイング矯正用具であって、
平面状の枠体と、
一端が前記枠体の外側に取付けられるとともに、他端が前記ゴルフクラブのシャフトに脱着自在で前記ゴルフクラブのシャフトの延びる方向に対して前記枠体の平面を略平行に取付け可能な連結部を備えることを特徴とするゴルフスイング矯正用具。
【請求項２】
前記連結部は前記シャフトの延びる方向に直交する軸回りに前記枠体を回転自在にする回転機構を備えることを特徴とする請求項１に記載のゴルフスイング矯正用具。
【請求項３】
前記枠体内に紐体を格子状に張ったことを特徴とする請求項１又は２に記載のゴルフスイング矯正用具。
【請求項４】
前記枠体内の紐体の所定の位置に目印を取付けたことを特徴とする請求項１乃至３のうちいずれか一つに記載のゴルフスイング矯正用具。
【請求項５】
前記連結部を伸縮可能にし、かつその長さを所定の長さで固定可能にしたことを特徴とする請求項１乃至４のうちいずれか一つに記載のゴルフスイング矯正用具。
【請求項６】
前記枠体と前記紐体の部分をバドミントンラケットのガットが張られたフレームで構成したことを特徴とする請求項１乃至５のうちいずれか一つに記載のゴルフスイング矯正用具。
【考案の詳細な説明】
【技術分野】
【０００１】
本考案は、ゴルフクラブのシャフトに取付けるゴルフスイング矯正用具に関するものである。
【背景技術】
【０００２】
ゴルフにおいてボールを狙った方向に真っ直ぐ飛ばすためには、ボールを飛ばしたい方向に対して打撃時におけるゴルフクラブのフェースを垂直にしなければならない。
よって、その方向に対してフェースが垂直となるスイングを毎回行うことができれば、いつも狙い通りにボールが真っ直ぐ飛ぶが、毎回同じ軌道のスイングを行うことは容易ではない。
つまり、ゴルフの上達には、毎回正しい軌跡を描くゴルフスイングを行えるようにフォームを確認しながら繰り返し練習し、体で覚えることが重要である。
【０００３】
そこで、図９に示すようなゴルフスイング矯正用具が開示されている（例えば、特許文献１参照）。
【先行技術文献】
【特許文献】
【０００４】
【特許文献１】特開２００７−７３１９号公報
【０００５】
図９に記載の考案は、お椀状であってゴルフクラブＣのシャフトＳうちクラブヘッドＨ近傍に着脱自在に取付けて用いられるゴルフスイング矯正用具１０である。このゴルフスイング矯正用具１０は、その開口面１１をゴルフクラブＣのフェースＦと一致させるようにシャフトＳに固定して使用される。
【０００６】
この考案によれば、打撃時においてお椀状のゴルフスイング矯正用具１０が受ける空気抵抗が最大となるようにゴルフスイングを行うことで、ボールを飛ばしたい方向に対してゴルフクラブＣのフェースＦが垂直となる正しいゴルフスイングを身に付けることができる。
しかも、手持ちのゴルフクラブＣに取付けて使用されるので経済的である。
【考案の概要】
【考案が解決しようとする課題】
【０００７】
しかしながら、このゴルフスイング矯正用具１０を使用した場合、通常のゴルフクラブＣを用いたスイングでは存在しない大きな空気抵抗があるので、ゴルフスイング矯正用具１０を取付けたときの使用感（スイングの感覚）と、ゴルフスイング矯正用具１０を取外したときの使用感が大きく異なる。
したがって、練習の結果、ゴルフスイング矯正用具１０を取付けたときに正しいスイングを行うことができるようになっても、ゴルフスイング矯正用具１０を取外したときに正しいスイングができるとは限らないという問題がある。
【０００８】
また、このゴルフスイング矯正用具１０では、クラブヘッドＨを振り下ろしたときの空気抵抗を感じてそれによりフォームを矯正するので、これはクラブヘッドＨを振り下ろすダウンスイングにおける軌跡を矯正することのみに留まってしまう。
すなわち、アドレスからクラブヘッドＨを後ろに振り上げるバックスイング、バックスイングからダウンスイングに移行する瞬間であるトップ、ダウンスイング、ボール打撃後のフォロースルー、そしてフィニッシュのいずれの段階においても、各段階で理想とされるフェースＦの向きがあるが、従来のゴルフスイング矯正用具１０では各段階のうち、ダウンスイングにおけるフェースＦの向きしか矯正できないという問題もある。
【０００９】
そこで、本考案の目的とするところは、ゴルフクラブに取付けても使用感に影響を与え難く、しかもゴルフスイングのいずれの段階においてもフェースの向きを矯正できるゴルフスイング矯正用具を提供することにある。
【課題を解決するための手段】
【００１０】
上記の目的を達成するために、本考案の請求項１に記載のゴルフスイング矯正用具（２０）は、ゴルフクラブ（Ｃ）のシャフト（Ｓ）に取付けるゴルフスイング矯正用具（２０）であって、平面状の枠体（２１）と、一端が前記枠体（２１）の外側に取付けられるとともに、他端が前記ゴルフクラブ（Ｃ）のシャフト（Ｓ）に脱着自在で前記ゴルフクラブ（Ｃ）のシャフト（Ｓ）の延びる方向に対して前記枠体（２１）の平面を略平行に取付け可能な連結部（２２）を備えることを特徴とする。
【００１１】
また、請求項２に記載のゴルフスイング矯正用具（２０）は、前記連結部（２２）は前記シャフト（Ｓ）の延びる方向に直交する軸回りに前記枠体（２１）を回転自在にする回転機構（２２ｅ，２２ｆ，２２ｇ）を備える。
【００１２】
また、請求項３に記載のゴルフスイング矯正用具（２０）は、前記枠体（２１）内に紐体（２３）を格子状に張ったことを特徴とする。
【００１３】
また、請求項４に記載のゴルフスイング矯正用具（２０）は、前記枠体（２１）内の紐体（２３）の所定の位置に目印（２４）を取付けたことを特徴とする。
【００１４】
また、請求項５に記載のゴルフスイング矯正用具（２０）は、連結部（２２）を伸縮可能にし、かつその長さを所定の長さで固定可能にしたことを特徴とする。
【００１５】
また、請求項６に記載のゴルフスイング矯正用具（２０）は、前記枠体（２１）と前記紐体（２３）の部分をバドミントンラケットのガットが張られたフレームで構成したことを特徴とする。
【００１６】
ここで、上記括弧内の記号は、図面および後述する考案を実施するための形態に掲載された対応要素または対応事項を示す。
【考案の効果】
【００１７】
本考案の請求項１に記載のゴルフスイング矯正用具によれば、平面状の枠体と、ゴルフクラブのシャフトの延びる方向に対して枠体の平面を略平行に取付け可能な連結部を備えるので、枠体の向きをフェースに対応させて設定することができる。よって、フェースの向きと枠体の向きとが一対一の関係になるので、枠体の向きを目視することでフェースの向きを確認及び矯正することができる。
特に、ゴルフクラブのシャフトの延びる方向に対してフェースが平行である、いわゆるフェース角が０度のゴルフクラブ（スクエアフェース）の場合には、フェースの向きと枠体の向きを平行にすることができるので、一層フェースの向きの確認が容易である。
【００１８】
また、目視によりフェースの向きを確認するので、アドレス、テークバック、バックスイング、トップ、ダウンスイング、フォロースルー、フィニッシュといったゴルフスイングのいずれの段階においてもフェースの向きを矯正できる。
特に、バックスイング、トップ、ダウンスイングのようにクラブヘッドがユーザーの後方に位置するため、直接フェースを目視し難い場合であっても、本考案に係るゴルフスイング矯正用具をグリップの近くに取付けることで、枠体の平面の向きを確認することができるので、フェースの向きを矯正可能である。
【００１９】
しかも、従来のゴルフスイング矯正用具では空気抵抗を感じられるようにフルスイングしなければ、ボールを飛ばしたい方向に対して打撃時におけるゴルフクラブのフェースが垂直であるかわからないので、スイングの一つ一つの動作の確認が難しいが、一方、本考案のゴルフスイング矯正用具では枠体を目視することによりフェースの向きを確認するので、動作を一つ一つゆっくりと確認しながらフェースの向きを矯正できる。
さらに、平面状の枠体は、その枠体内方に実際に面が張られている場合に比べて、ゴルフスイングを行っても空気抵抗が小さいので、取付け前後の使用感に影響を与え難い。
【００２０】
また、請求項２に記載のゴルフスイング矯正用具によれば、請求項１に記載の考案の作用効果に加え、連結部はシャフトの延びる方向に直交する軸回りに枠体を回転自在にする回転機構を備えるので、鉛直面からのフェースの傾きであるロフト角が大きいアイアンであっても枠体をフェースと平行にでき、枠体を目視するだけで正確にフェースの向きを知ることができる。もちろん、アイアンよりもロフト角が小さいドライバーに対しても有効である。
また、フェース角がプラスであるフックフェースのゴルフクラブやフェース角がマイナスであるスライスフェースのゴルフクラブであっても、枠体をシャフトの延びる方向に直交する軸回りに回転させることで、枠体をフェースと平行にすることができる。
【００２１】
また、請求項３に記載のゴルフスイング矯正用具によれば、請求項１又は２に記載の考案の作用効果に加え、枠体内に紐体を格子状に張ったので、枠体だけの場合よりも枠体の平面を認識し易くフェースの向きがわかり易い。
しかも、紐体を張ってもゴルフスイング時の空気抵抗はほとんど上がらないので、ゴルフスイング矯正用具取付け前後のゴルフクラブの使用感に影響を与え難い。
【００２２】
また、請求項４に記載のゴルフスイング矯正用具によれば、請求項１乃至３に記載の考案の作用効果に加え、枠体内の紐体の所定の位置に目印を取付けたので、ゴルフスイングのそれぞれの段階において、例えばトップのときにはその目印が右肩の真上にくるべきというように、その目印の高さや位置等をスイングの目安とすることができる。
【００２３】
また、請求項５に記載のゴルフスイング矯正用具によれば、請求項１乃至４に記載の考案の作用効果に加え、連結部を伸縮可能にし、かつその長さを所定の長さで固定可能にしたので、スイング時に枠体がユーザーの体等に干渉しないように調整できる。
【００２４】
また、請求項６に記載のゴルフスイング矯正用具によれば、請求項１乃至５に記載の考案の作用効果に加え、枠体と紐体の部分をバドミントンラケットのガットが張られたフレームで構成したので、手軽かつ安価に製作することができる。
【００２５】
なお、本考案のゴルフスイング矯正用具のように、平面状の枠体と、ゴルフクラブのシャフトの延びる方向に対して枠体の平面を略平行に取付け可能な連結部を備える点は、上述した特許文献１には全く記載されていない。
【図面の簡単な説明】
【００２６】
【図１】本考案の第一実施形態に係るゴルフスイング矯正用具を示す斜視図である。
【図２】図１に示すゴルフスイング矯正用具を示す側面図である。
【図３】図１に示すゴルフスイング矯正用具をゴルフクラブに取付けた状態を示す正面図である。
【図４】図１に示すゴルフスイング矯正用具を取付けたゴルフクラブでスイングした状態を示す図である。
【図５】本考案の第二実施形態に係るゴルフスイング矯正用具をゴルフクラブに取付けた状態を示す正面図である。
【図６】図５に示すゴルフクラブを示す側面図である。
【図７】本考案の他の実施形態に係るゴルフスイング矯正用具をゴルフクラブに取付けた状態を示す正面図である。
【図８】本考案のさらに他の実施形態に係るゴルフスイング矯正用具をゴルフクラブに取付けた状態を示す正面図である。
【図９】従来例に係るゴルフスイング矯正用具をゴルフクラブに取付けた状態を示す正面図である。
【考案を実施するための形態】
【００２７】
（第一実施形態）
図１乃至図４を参照して、本考案の第一実施形態に係るゴルフスイング矯正用具２０を説明する。
このゴルフスイング矯正用具２０は、枠体２１と、連結部２２を備え、ゴルフクラブＣ（ここではドライバー）のシャフトＳに取付けてスイングを矯正するものである。
【００２８】
枠体２１は、バドミントンラケットのフレームであって、平面状で楕円状に閉じている。
また、枠体２１内には紐体２３（ガット）が格子状に張られている。
【００２９】
連結部２２は、略Ｕ字状を有する受け部２２ａと、受け部２２ａに対応した別部材の固定部２２ｂからなり、枠体２１の長軸の延長線上に設けられる。連結部２２の一端（受け部２２ａ側）が枠体２１の外側に取付けられるとともに、他端がゴルフクラブＣのシャフトＳに脱着自在となっている。
詳しくは、受け部２２ａと固定部２２ｂによって枠体２１の平面に平行な挟持孔２２ｃが形成されており、この挟持孔２２ｃにゴルフクラブＣのシャフトＳが挿通される。このとき、連結部２２はゴルフクラブＣのシャフトＳに対して垂直に延びる。
そして、受け部２２ａの二つの先端はボルトになっており、図２に示すように、そのボルトに嵌め込まれたナットを締めることで固定部２２ｂを受け部２２ａ側に近づけて挟持孔２２ｃを小さくし、挟持孔２２ｃがシャフトＳを締め付けてゴルフスイング矯正用具２０がシャフトＳに固定される。
このように、挟持孔２２ｃが枠体２１の平面に平行であるので、枠体２１の平面はゴルフクラブＣのシャフトＳの延びる方向に対して略平行に取付けられる。
【００３０】
このようにしてなるゴルフスイング矯正用具２０は、図３に示すように、グリップＧ近くのシャフトＳに取付けられる。
【００３１】
以上のように構成されたゴルフスイング矯正用具２０によれば、平面状の枠体２１と、ゴルフクラブＣのシャフトＳの延びる方向に対して枠体２１の平面を略平行に取付け可能な連結部２２を備えるので、枠体２１の向きをフェースＦに対応させて設定することができる。よって、フェースＦの向きと枠体２１の向きとが一対一の関係になるので、枠体２１の向きを目視することでフェースＦの向きを確認及び矯正することができる。
特に、ゴルフクラブＣのシャフトＳの延びる方向に対してフェースＦが平行である、いわゆるフェース角が０度のゴルフクラブＣ（スクエアフェース）の場合には、フェースＦの向きと枠体２１の向きを平行にすることができるので、一層フェースＦの向きの確認が容易である。
【００３２】
また、目視によりフェースＦの向きを確認するので、アドレス、テークバック、バックスイング、トップ、ダウンスイング、フォロースルー、フィニッシュといったゴルフスイングのいずれの段階においてもフェースＦの向きを矯正できる。
特に、バックスイング、トップ（図４参照）、ダウンスイングのようにクラブヘッドＨがユーザーの後方に位置するため、直接フェースＦを目視し難い場合であっても、本実施形態に係るゴルフスイング矯正用具２０をグリップの近くに取付けることで、枠体２１の平面の向きを確認することができるので、フェースＦの向きを矯正可能である。
【００３３】
しかも、従来のゴルフスイング矯正用具１０では空気抵抗を感じられるようにフルスイングしなければ、ボールを飛ばしたい方向に対して打撃時におけるゴルフクラブＣのフェースＦが垂直であるかわからないので、スイングの一つ一つの動作の確認が難しいが、一方、本実施形態のゴルフスイング矯正用具２０では枠体２１を目視することによりフェースＦの向きを確認するので、動作を一つ一つゆっくりと確認しながらフェースＦの向きを矯正できる。
さらに、平面状の枠体２１は、その枠体２１内方に実際に面が張られている場合に比べて、ゴルフスイングを行っても空気抵抗が小さいので、取付け前後の使用感に影響を与え難い。
【００３４】
また、枠体２１内に紐体２３を格子状に張ったので、枠体２１だけの場合よりも枠体２１の平面を認識し易くフェースＦの向きがわかり易い。
しかも、紐体２３を張ってもゴルフスイング時の空気抵抗はほとんど上がらないので、ゴルフスイング矯正用具２０取付け前後のゴルフクラブＣの使用感に影響を与え難い。
【００３５】
また、枠体２１と紐体２３の部分をバドミントンラケットのガットが張られたフレームで構成したので、手軽かつ安価に製作することができる。
【００３６】
（第二実施形態）
次に図５と図６を参照して、本考案の第二実施形態に係るゴルフスイング矯正用具２０を説明する。なお、第一実施形態と同一部分には同一符号を付した。
本実施形態の第一実施形態との違いは、連結部２２の受け部２２ａの構成と、取付けられるゴルフクラブＣがアイアンである点であり、その他の構成要素に関しては第一実施形態と同一である。
【００３７】
連結部２２の受け部２２ａは、枠体２１に取付けられる棒状（円筒状でもよい）の小径部２２ｅと、内径が小径部２２ｅの外径よりも大きくゴルフクラブＣのシャフトＳの延びる方向に直交するように取付けられる大径部２２ｆからなり、小径部２２ｅが大径部２２ｆに挿入される。そして、大径部２２ｆと固定部２２ｂにより挟持孔２２ｃが形成されている。
小径部２２ｅは大径部２２ｆ内でその軸方向に伸縮自在かつその軸回りに回転自在であり、小径部２２ｅの大径部２２ｆに対する位置決め（伸縮と回転）は、大径部２２ｆに取付けられ締めたときにその頭部が小径部２２ｅの外周面を押圧する固定ネジ２２ｇを締めることにより行われる。
この連結部２２の長さと回転角度は、使用するゴルフクラブＣの種類、ゴルフスイング矯正用具２０の取付けられる箇所等によって適宜調整される。
【００３８】
以上のように構成されたゴルフスイング矯正用具２０によれば、連結部２２はシャフトＳの延びる方向に直交する軸回りに枠体２１を回転自在にする回転機構２２ｅ，２２ｆ，２２ｇを備えるので、図６に示すように、鉛直面からのフェースＦの傾きであるロフト角が大きいアイアンであっても枠体２１をフェースＦと平行にでき、枠体２１を目視するだけで正確にフェースＦの向きを知ることができる。もちろん、アイアンよりもロフト角が小さいドライバー（第一実施形態）に対しても有効である。
また、フェース角がプラスであるフックフェースのゴルフクラブＣやフェース角がマイナスであるスライスフェースのゴルフクラブＣであっても、枠体２１をシャフトＳの延びる方向に直交する軸回りに回転させることで、枠体２１をフェースＦと平行にすることができる。
【００３９】
また、連結部２２を伸縮可能にし、かつその長さを所定の長さで固定可能にしたので、スイング時に枠体２１がユーザーの体等に干渉しないように調整できる。
【００４０】
なお、第一、第二実施形態において、図７に示すように、格子状に張った紐体２３の所定の位置にＬＥＤランプ等の目印２４を取付けてもよい。この目印２４は、リボン等を結び付けたものであってもよい。
このように目印２４を取付けることで、ゴルフスイングのそれぞれの段階において、例えばトップのときには目印２４が右肩の真上にくるべきというように、その目印２４の高さや位置等をスイングの目安とすることができる。
また、ビデオ撮影して客観的にゴルフスイングを確認する場合においても、この目印２４があることでスイングの矯正が容易になる。
【００４１】
また、バドミントンラケットのフレームを枠体２１として用いるときに、連結部２２を枠体２１の長軸の延長線上に設けたが、これに限られるものではなく、図８に示すように、枠体２１の短軸の延長線上に設けてもよい。
【００４２】
さらには、枠体２１と紐体２３の部分をバドミントンラケットのガットが張られたフレームで構成したが、これに限られるものではなく、円形や矩形状等の他の枠体２１であってもよい。
また、枠体２１内に紐体２３を格子状に張ったがこれに限られるものではなく、一方向だけに紐体２３を張ってもよいし、紐体２３を張らなくてもよい。
【００４３】
また、連結部２２はゴルフクラブＣのシャフトＳに対して垂直に延びるとしたが、これに限られるものではなく、ゴルフクラブＣのシャフトＳの延びる方向に対して枠体２１の平面を略平行に取付け可能であればよい。
【符号の説明】
【００４４】
１０      ゴルフスイング矯正用具
１１      開口面
２０      ゴルフスイング矯正用具
２１      枠体
２２      連結部
２２ａ    受け部
２２ｂ    固定部
２２ｃ    挟持孔
２２ｄ    ナット
２２ｅ    小径部（回転機構）
２２ｆ    大径部（回転機構）
２２ｇ    固定ネジ（回転機構）
２３      紐体
２４      目印
Ｃ      ゴルフクラブ
Ｆ      フェース
Ｇ      グリップ
Ｈ      ヘッド
Ｓ      シャフト
【図１】
0003174076.tif 000003
【図２】
0003174076.tif 000004
【図３】
0003174076.tif 000005
【図４】
0003174076.tif 000006
【図５】
0003174076.tif 000007
【図６】
0003174076.tif 000008
【図７】
0003174076.tif 000009
【図８】
0003174076.tif 000010
【図９】
0003174076.tif 000011